(57)【要約】【課題】ストップ指示信号を受信するまで調光コマンド信号の送信するような制御装置を有するシステムに適用可能であって、照明装置の調光レベルの指示値を連続的に変更可能な調光操作器を提供する。【解決手段】壁スイッチ３は、照明装置９の調光レベルを連続的に変更可能な操作部２３と、伝送線８上に伝送される照明装置９に対するコントローラ２からの調光制御信号の調光レベル値を記憶するＲＡＭ２６と、操作部２３における調光レベルの指示値と、ＲＡＭ２６に記憶された調光レベル値を比較する調光レベル比較部とを有する。【選択図】図３
2018120717.tif 000002
【特許請求の範囲】
【請求項１】
照明装置の調光レベルを連続的に変更可能な調光レベル変更部と、
伝送線上に伝送される前記照明装置に対する制御装置からの調光制御信号の調光レベル値を記憶する記憶部と、
前記調光レベル変更部における前記調光レベルの指示値と、前記記憶部に記憶された前記調光レベル値を比較する調光レベル比較部と、
を有する調光操作器。
【請求項２】
前記調光レベル比較部の比較結果に基づき、前記指示値が前記調光レベル値と異なるとき、前記調光レベル値を前記指示値に一致させるための前記照明装置の前記調光レベルの変更を指示する変更指示信号を前記制御装置へ送信する変更指示信号送信部と、
前記調光制御信号の前記調光レベル値が前記調光レベル変更部における前記指示値と一致したときに、前記照明装置の前記調光レベルの変更を停止する停止指示信号を前記制御装置へ送信する停止指示信号送信部と、
を有する請求項１に記載の調光操作器。
【請求項３】
前記変更指示信号が送信された後に、前記調光制御信号の前記調光レベル値が前記指示値を超えたかを判定する判定部を有し、
前記判定部が前記調光制御信号の前記調光レベル値が前記指示値を超えたと判定したとき、前記変更指示信号送信部は、前記調光レベル値を前記指示値に一致させるために、前記照明装置の前記調光レベルを変更する前記変更指示信号を前記制御装置へ送信する請求項２に記載の調光操作器。
【請求項４】
前記調光レベル変更部は、前記指示値の目盛りを表示する目盛り表示部と、前記目盛りに沿って移動可能な指示部を表示する表示部を有する請求項１から３のいずれか１つに記載の調光操作器。
【請求項５】
前記伝送線に伝送される前記調光制御信号の調光レベル値を監視する監視部と、
前記監視部の監視結果に基づいて、前記記憶部に記憶される前記調光レベル値を更新すると共に、更新された前記調光レベル値に応じて前記指示部の表示位置を変更する表示位置変更部と、
を有する請求項４に記載の調光操作器。
【請求項６】
請求項１から５のいずれかに記載の調光操作器と、
前記伝送線により前記調光操作器と接続された前記制御装置と、
を有する照明制御システム。
【発明の詳細な説明】
【技術分野】
【０００１】
本発明の実施形態は、調光操作器及び照明制御システムに関する。
【背景技術】
【０００２】
従来より、制御装置と照明器具とが伝送線により接続され、制御装置により照明器具の明るさが制御される照明制御システムがある。照明器具のオン・オフを行うためのオン・オフ操作器だけでなく、照明器具の照明光量を変更するための１又は２以上の調光操作器が、伝送線に接続されている照明制御システムがある。
【０００３】
その調光操作器には、照明器具の照明光量を上げるためのアップボタン、照明光量を下げるためのダウンボタン、そして照明光量の変更の停止のためのストップボタンが設けられている。
【０００４】
例えば、ユーザが、そのアップボタンを押すと、調光操作器は、照明光量を上げることを指示するアップ指示信号を制御装置に送信する。制御装置は、アップ指示信号を受信すると、照明光量を上げる調光制御信号を照明装置に伝送線を介して送信する。調光制御信号は、調光レベルの現在値に、所定値を加算した調光レベル値の調光制御信号を照明装置へ送信する。制御装置は、調光レベル値を徐々に増加させるように、複数の調光制御信号を所定の制御間隔で照明装置へ送信する。
【０００５】
ユーザは、照明器具の照明光が所望の光量になると、調光操作器のストップボタンを押す。ユーザが、そのストップボタンを押すと、調光操作器は、照明光量の調整をストップすることを指示するストップ指示信号を制御装置に送信する。制御装置は、ストップ指示信号を受信すると、照明光量を上げる調光コマンド信号の送信を停止する。
【０００６】
すなわち、ユーザは、照明光量を実際に見ながら、アップボタンあるいはダウンボタンを押し、所望の照明光量になったときにストップボタンを押す。制御装置は、照明光量のアップ指示信号あるいはダウン指示信号を受信すると、所定値ずつ光量を変化させる調光制御信号を、ストップ指示信号を受信するまであるいは１００％あるいは０％になるまで、照明器具に所定の制御間隔で送信する。
【０００７】
ところで、照明光量の調光レベルをスライダあるいはボリューム摘まみなどの操作器により、照明光量を所望のレベルに連続的に変更できるようにすることも考えられる。スライダなどの操作器の場合、照明装置の調光レベルの指示値を連続的に変更可能であり、ユーザは、調光レベルを直感的に把握できるというメリットがある。
【０００８】
しかし、スライダなどを有する調光操作器を、上述した照明制御システムに適用しようとしても、調光操作器は、アップボタン、ダウンボタンストップボタン及びストップボタンを有しないため、上述した指示信号を制御装置へ送信できない。例えば、調光操作器を、スライダの操作方向に応じてアップ指示信号とダウン指示信号を送信するようにしたとしても、調光操作器は、ストップ指示信号を送信することはできない。そのため、スライダなどの操作器は、従来の照明制御システムに適用できなかった。
【先行技術文献】
【特許文献】
【０００９】
【特許文献１】特許第５６５２１４４号明細書
【発明の概要】
【発明が解決しようとする課題】
【００１０】
そこで、本実施形態は、ストップ指示信号を受信するまで調光コマンド信号の送信するような制御装置を有するシステムに適用可能であって、照明装置の調光レベルの指示値を連続的に変更可能な調光操作器、及びその調光操作器を有する照明制御システムを提供することを目的とする。
【課題を解決するための手段】
【００１１】
実施形態の調光操作器は、照明装置の調光レベルを連続的に変更可能な調光レベル変更部と、伝送線上に伝送される前記照明装置に対する制御装置からの調光制御信号の調光レベル値を記憶する記憶部と、前記調光レベル変更部における前記調光レベルの指示値と、前記記憶部に記憶された前記調光レベル値を比較する調光レベル比較部と、を有する。
【発明の効果】
【００１２】
本実施形態によれば、ストップ指示信号を受信するまで調光コマンド信号の送信するような制御装置を有するシステムに適用可能であって、照明装置の調光レベルの指示値を連続的に変更可能な調光操作器、及びその調光操作器を有する照明制御システムを提供することができる。
【図面の簡単な説明】
【００１３】
【図１】実施形態に係わる照明制御システムの全体構成を示すブロック図である。
【図２】実施形態に係わるコントローラの構成を示すブロック図である。
【図３】実施形態に係わる壁スイッチの構成を示すブロック図である。
【図４】実施形態に係わる壁スイッチの操作部の表示画面の例を示す図である。
【図５】実施形態に係わる、壁スイッチのスライダが操作されたときの調光制御信号等の各種信号の送受信を示すタイムチャートである。
【図６】実施形態に係わる、調光レベル値の監視処理の流れの例を示すフローチャートである。
【図７】実施形態に係わる、壁スイッチにおける指示信号送信処理の流れの例を示すフローチャートである。
【発明を実施するための形態】
【００１４】
本実施形態の調光操作器は、照明装置の調光レベルを連続的に変更可能な調光レベル変更部と、伝送線上に伝送される前記照明装置に対する制御装置からの調光制御信号の調光レベル値を記憶する記憶部と、前記調光レベル変更部における前記調光レベルの指示値と、前記記憶部に記憶された前記調光レベル値を比較する調光レベル比較部と、を有する。
【００１５】
以下、図面を参照して実施形態を説明する。
（構成）
図１は、本実施形態に係わる照明制御システムの全体構成を示すブロック図である。
【００１６】
照明制御システム１は、コントローラ２と、壁スイッチ３と、調光装置４と、オン・オフスイッチ５と、照度センサ６と、人感センサ７と、を含んで構成されている。コントローラ２は、壁スイッチ３、調光装置４、オン・オフスイッチ５、照度センサ６及び人感センサ７と、伝送線８を介して通信可能に接続されている。複数（ここでは４つ）の照明装置９が、それぞれ調光線９ａを介して調光装置４に接続されている。
【００１７】
なお、ここでは、４つの照明装置９（Ｌ１，Ｌ２，Ｌ３，Ｌ４）が１つの調光装置４に接続されているが、より多くの照明装置９が調光装置４に接続されていてもよいし、２以上の調光装置４が伝送線８に接続されていてもよい。
【００１８】
制御装置であるコントローラ２は、壁スイッチ３、オン・オフスイッチ５、照度センサ６及び人感センサ７からの各種信号を、伝送線８を介して受信する。コントローラ２は、受信した各種信号に応じて調光制御信号等を生成して調光装置４へ送信する。
【００１９】
コントローラ２は、ユーザによるオン・オフスイッチ５の操作に応じて、各照明装置９をオンあるいはオフし、さらに、人感センサ７の出力信号に応じて各照明装置９をオンあるいはオフする。  
また、コントローラ２は、ユーザによる壁スイッチ３に対する操作に応じて、調光制御信号を生成して各照明装置９へ送信する。
【００２０】
各照明装置９は、発光ダイオード（ＬＥＤ）等の光源を有する。さらに、各照明装置９は、固有の識別情報を有し、コントローラ２は、その識別情報と共に調光制御信号を伝送線８に出力することにより、任意の照明装置９の調光レベルを制御することができる。
【００２１】
すなわち、調光制御信号は、照明装置９の識別情報と、調光レベル値を含む。調光装置４は、調光制御信号を受信すると、調光レベル値に応じた駆動信号（例えばＰＷＭ信号）を、調光線９ａから識別情報に対応する照明装置９へ出力する。
【００２２】
図２は、コントローラ２の構成を示すブロック図である。  
コントローラ２は、制御部１１、伝送部１２及び操作部１３を有する。  
制御部１１は、中央処理装置（以下、ＣＰＵという）１４、ＲＯＭ１５及びＲＡＭ１６を含む。
【００２３】
ＲＯＭ１５には、コントローラ２の各種機能のための各種プログラムが記憶されており、壁スイッチ３、オン・オフスイッチ５等からの信号に応じた調光制御のためのプログラムも記憶されている。さらに、ＲＯＭ１５には、後述する制御間隔ＣＴ及び後述するステップ値ｄの情報が、デフォルト値として記憶されている。コントローラ２が起動すると、これらのデフォルト値がＲＡＭ１６に複写されて調光制御において用いられる。例えば、制御間隔ＣＴは、１秒であり、ステップ値ｄは、５（％）である。
【００２４】
操作部１３は、各種スイッチ、各種ボタンを含む。なお、操作部１３は、タッチパネル付きの表示装置であってもよい。  
ＣＰＵ１４は、操作部１３において指示された操作指示に応じたプログラムを、ＲＯＭ１５から読み出して実行する。
【００２５】
伝送部１２は、伝送線８へ信号を送信すると共に、伝送線８からの信号を受信する回路である。制御部１１は、伝送部１２を介して各種信号を伝送線８へ送信し、伝送部１２を介して各種信号を伝送線８から受信する。
【００２６】
特に、ＣＰＵ１４は、アップ指示信号（ＵＰ）又はダウン指示信号（ＤＯＷＮ）を壁スイッチ３から受信すると、受信した指示信号に応じた調光制御信号を生成して、伝送部１２から伝送線８に出力する。
【００２７】
ＣＰＵ１４は、壁スイッチ３からのアップ指示信号（ＵＰ）若しくはダウン指示信号（ＤＯＷＮ）を受信すると、調光制御信号の調光レベルが最大調光レベル（例えば１００％）若しくは最小調光レベル（例えば０％）なるか、あるいはストップ指示信号（ＳＴＯＰ）を受信するまで、制御間隔ＣＴで、ステップ値ｄを用いて調光制御信号の調光レベル値を変更した調光制御信号を出力する。
【００２８】
ＲＡＭ１６に格納された制御間隔ＣＴ及びステップ値ｄは、操作部１３の各種スイッチなどを操作して、設定変更可能である。  
ＲＡＭ１６は、各照明装置９の調光レベル値を格納するための格納領域を有しており、ＣＰＵ１４は、照明装置９への調光制御信号を送信すると、送信した調光制御信号に含まれる照明装置９の調光レベル値の情報をＲＡＭ１６に格納する。すなわち、ＲＡＭ１６には、各照明装置９の最新の調光レベル値の情報が格納されている。
【００２９】
図３は、壁スイッチ３の構成を示すブロック図である。  
壁スイッチ３は、制御部２１、伝送部２２、及び操作部２３を有する調光操作器である。壁スイッチ３は、照明エリア内の壁に取り付けられ、ユーザが操作部２３を操作して所望の照明装置９を所望の調光レベルに調整可能である。
【００３０】
制御部２１は、ＣＰＵ２４、ＲＯＭ２５及びＲＡＭ２６を含む。ＲＯＭ２５には、壁スイッチ３の各種機能のための各種プログラムが記憶されており、コントローラ２との通信、操作部２３の動作のためのプログラムが記憶されている。
【００３１】
伝送部２２は、伝送線８へ信号を送信すると共に、伝送線８からの信号を受信する回路である。制御部２１は、伝送部２２を介して各種信号を伝送線８へ送信し、伝送部２２を介して各種信号を伝送線８から受信可能となっている。
【００３２】
操作部２３は、液晶表示器などの表示器２３Ａと、タッチパネル２３Ｂとを有するタッチパネル付き表示装置である。よって、後述するように、ユーザは、表示器２３Ａの表示画面上に映像として表示されたスライダ３６（後述）をタッチしながら、移動させて、所望の照明装置９の調光レベルを指示することができる。
【００３３】
ＣＰＵ２４は、操作部２３におけるユーザの操作に応じて、表示器２３Ａに表示する画像を生成すると共に、伝送線８を介してコントローラ２へ各種指示信号を送信する。さらに、ＣＰＵ２４は、伝送線８を介して受信した各照明装置９（Ｌ１，Ｌ２，Ｌ３，Ｌ４）への調光制御信号の調光レベル値を監視する。  
ＲＡＭ２６には、各照明装置９の調光レベル値（最新値）の情報と、操作部２３により指示された調光レベルの指示値の情報が、記憶される。
【００３４】
図４は、壁スイッチ３の操作部の表示画面の例を示す図である。  
操作部２３の表示器２３Ａには、４つの照明装置９の調光レベルを表示する調光操作画面ＧＣが表示される。調光操作画面ＧＣは、４つの照明装置９（Ｌ１，Ｌ２，Ｌ３，Ｌ４）のための４つの調光操作部３１〜３４を有する。各調光操作部３１〜３４は、調光レベルを示す目盛り表示部３５と、スライダ３６を有する。目盛り表示部３５は、調光レベルが０〜１００％の間で、１０％間隔の目盛りが示されている。
【００３５】
ユーザは、表示器２３Ａの表示画面に表示される任意のスライダ３６を操作することにより、４つの照明装置９のうち所望の照明装置９を、所望の調光レベルに設定することができる。
【００３６】
図４では、４つの照明装置Ｌ１〜Ｌ４のそれぞれの調光レベルが、スライダ３６の位置により示されている。操作部２３は、表示器２３Ａの画面上に設けられたタッチパネル２３Ｂを有している。よって、ユーザが、所望のスライダ３６を指でタッチしながら、上下に動かすと、タッチされたスライダ３６が指の位置に従って移動するように、ＣＰＵ２４は、調光操作画面ＧＣを生成する。  
すなわち、ユーザがスライダ３６にタッチしながら上方向あるいは下方向に指を移動させると、指の移動に応じてスライダ３６の指示値（すなわち表示位置）が変更される。
【００３７】
各スライダ３６は、対応する照明装置９の調光レベルの指示値を連続的に変更可能である。そして、スライダ３６の可動範囲に示された目盛りにより、ユーザは、所望の調光レベルに直ちに正確にかつ細かく把握できると共に、スライダ３６の位置を迅速にかつ細かく設定変更できる。すなわち、操作部２３は、調光レベルの指示値の目盛りを表示する目盛り表示部３５と、その目盛りに沿って移動可能な指示部としてスライダ３６を表示する表示部を有している。
【００３８】
さらに、各スライダ３６の表示位置は、コントローラ２からの調光制御信号を監視して最新値の調光レベル値に一致する位置に表示される。調光制御信号の監視については、後述する。
【００３９】
以上のように、調光操作器である壁スイッチ３は、操作部２３と、ＲＡＭ２６とを有する。操作部２３は、照明装置９の調光レベルを連続的に変更可能な調光レベル変更部を構成する。ＲＡＭ２６は、伝送線８上に伝送される照明装置９に対するコントローラ２からの調光制御信号の調光レベル値を記憶する記憶部を構成する。
（動作）
次に、照明制御システム１の動作について説明する。ここでは、壁スイッチ３の操作に応じた調光制御についてのみ説明する。
【００４０】
始めに、調光操作器である壁スイッチ３が操作されたときの、各種信号の送受信について説明する。  
図５は、壁スイッチ３のスライダ３６が操作されたときの調光制御信号（ＣＳ）等の各種信号の送受信を示すタイムチャートである。
【００４１】
壁スイッチ３の１つのスライダ３６が操作されると、現在の調光レベル値とスライダ３６の指示値との差異に基づいて、壁スイッチ３は、スライダ３６が操作された照明装置９の調光レベルを上げるのかあるいは下げるのかを示す、アップ指示信号（ＵＰ）又はダウン指示信号（ＤＯＷＮ）を、コントローラ２へ送信する。
【００４２】
コントローラ２は、上述したように、各照明装置９の現在の調光レベル値の情報を有している。よって、アップ指示信号（ＵＰ）又はダウン指示信号（ＤＯＷＮ）に基づいて、現在の調光レベル値Ｃｖ（最新値）に、ステップ値ｄを加算又は減算した値（Ｃｖ＋ｄ、Ｃｖ−ｄ）の調光制御信号（ＣＳ）を、操作されたスライダ３６に対応する照明装置９へ送信する。この調光制御信号（ＣＳ）は、調光装置４において受信される。
【００４３】
指示信号がアップ指示信号（ＵＰ）の場合、コントローラ２は、所定の制御間隔ＣＴ毎に、ステップ値ｄをさらに加算した値の調光制御信号ＣＳを、スライダ３６が操作された照明装置９へ送信する。
【００４４】
コントローラ２の送信した調光制御信号ＣＳは、壁スイッチ３において監視される。図５では、点ｐｍが、壁スイッチ３において調光制御信号ＣＳが受信されて監視されていることを示している。
【００４５】
コントローラ２からの調光制御信号ＣＳの示す調光レベル値が、スライダ３６による指示値の調光レベルと一致したとき、壁スイッチ３は、ストップ指示信号（ＳＴＯＰ）をコントローラ２へ送信する。  
その結果、コントローラ２は、指示された照明装置９の調光制御を停止するので、照明装置９の調光レベルは、スライダ３６による調光レベルの指示値と一致する。
【００４６】
さらに、壁スイッチ３は、伝送線８上に伝送される調光レベル値の情報を常時監視し、各照明装置９の最新の調光レベル値をＲＡＭ２６に記憶する。  
図６は、調光レベル値の監視処理の流れの例を示すフローチャートである。
【００４７】
伝送部２２は、伝送線８に接続されているため、伝送線８上のデータを監視することができる。  
ＣＰＵ２４は、伝送部２２において受信した情報に基づいて、４つの照明装置９（Ｌ１，Ｌ２，Ｌ３，Ｌ４）のいずれかへの調光制御信号（ＣＳ）を受信したか否かを判定する（ステップ（以下、Ｓと略す）１）。
【００４８】
４つの照明装置９（Ｌ１，Ｌ２，Ｌ３，Ｌ４）のいずれかへの調光制御信号を受信したとき（Ｓ１：ＹＥＳ）、ＣＰＵ２４は、その調光制御信号に含まれる調光レベル値で、そのＲＡＭ２６に記憶されている照明装置９の調光レベル値（現在値）を更新する（Ｓ２）。
【００４９】
そして、ＣＰＵ２４は、更新した調光レベル値の位置にスライダ３６を配置して表示するように、調光操作画面ＧＣの表示更新を行う（Ｓ３）。すなわち、ＲＡＭ２６には、４つの照明装置９の各々の最新の調光レベル値が格納され、かつその最新の調光レベル値に基づいて、スライダ３６の示す調光レベルが最新の調光レベル値と一致するように表示制御が行われる。
【００５０】
４つの照明装置９（Ｌ１，Ｌ２，Ｌ３，Ｌ４）のいずれかへの調光制御信号を受信しないとき（Ｓ１：ＮＯ）、ＣＰＵ２４は、何もしない。  
よって、壁スイッチ３の表示器２３Ａの調光操作画面ＧＣは、各照明装置９の現在の調光レベルを表示する。
【００５１】
また、複数の壁スイッチが伝送線８に接続される場合もある。図１において、二点鎖線で示したように、壁スイッチ３と同様の機能を有するもう一つの壁スイッチ３Ａが伝送線８に接続される場合もある。
【００５２】
その場合、各照明装置９は、壁スイッチ３と３Ａのいずれによっても、調光制御が可能である。  
このような場合に、壁スイッチ３においてスライダが操作されるよりも前に、壁スイッチ３Ａにおいて照明装置９の調光制御が行われても、図６の処理によって、壁スイッチ３の表示器２３Ａに表示される各スライダ３６は、壁スイッチ３Ａに送信された調光制御信号に基づいて最新の位置に配置され表示される。
【００５３】
すなわち、Ｓ１の処理が、伝送線８に伝送される調光制御信号の調光レベル値を監視する監視部を構成する。そして、Ｓ２とＳ３の処理が、Ｓ１の監視結果に基づいて、ＲＡＭ２６に記憶される調光レベル値を更新すると共に、更新された調光レベル値に応じてスライダ３６の表示位置を変更する表示位置変更部を構成する。
【００５４】
図７は、壁スイッチ３における指示信号送信処理の流れの例を示すフローチャートである。上述したように、ユーザがスライダ３６にタッチしながら上方向あるいは下方向に指を移動させると、スライダ３６は、指の移動に応じて表示位置が変更される。
【００５５】
図７に示す指示信号送信処理は、壁スイッチ３のスライダ３６が操作されると実行される。  
ＣＰＵ２４は、スライダ３６による調光レベルの指示値と、調光レベル値（現在値）と比較する（Ｓ１１）。Ｓ１１の処理が、スライダ３６における調光レベルの指示値と、ＲＡＭ２６に記憶された調光レベル値（現在値）を比較する調光レベル比較部を構成する。
【００５６】
ＣＰＵ２４は、比較の結果、スライダ３６により指示値と調光レベル値（現在値）とに差があるか否かを判定し（Ｓ１２）、差がないとき（Ｓ１２：ＮＯ）、処理は、Ｓ１に戻る。
【００５７】
差があるとき（Ｓ１２：ＹＥＳ）、ＣＰＵ２４は、スライダ３６による操作が調光レベルをアップする指示か否かを判定する（Ｓ１３）。  
例えば、図４において照明装置Ｌ１のスライダ３６が、二点鎖線で示すように、ユーザの指Ｆによって図４に示す位置から上方向に移動させられて、点線で示す位置に移動されたとき、スライダ３６への操作は調光レベルをアップする指示であると判定される。現在の調光レベル値が１０％であったときに、ユーザによりスライダ３６が、調光レベルが５０％の位置に移動されると、差は、＋４０％であり、ＣＰＵ２４は、スライダ３６への操作は、調光レベルをアップする指示であると判定する。
【００５８】
スライダ３６への操作が調光レベルをアップする指示であると判定されたとき（Ｓ１３：ＹＥＳ）、ＣＰＵ２４は、アップ指示信号（ＵＰ）を、伝送部２２を介してコントローラ２へ送信する（Ｓ１４）。アップ指示信号（ＵＰ）は、コントローラ２に対して照明装置９の調光レベル値をアップさせるコマンド信号である。
【００５９】
スライダ３６への操作が調光レベルをアップする指示でないと判定されたとき（Ｓ１３：ＮＯ）、ＣＰＵ２４は、ダウン指示信号（ＤＯＷＮ）を、伝送部２２を介してコントローラ２へ送信する（Ｓ１５）。ダウン指示信号（ＤＯＷＮ）は、コントローラ２に対して照明装置９の調光レベル値をダウンさせるコマンド信号である。
【００６０】
従って、Ｓ１４とＳ１５の処理が、Ｓ１１の比較結果に基づき、指示値が調光レベル値と異なるとき、調光レベル値を指示値に一致させるための照明装置９の調光レベルの変更を指示する変更指示信号（具体的には、アップ指示信号（ＵＰ）あるいはダウン指示信号（ＤＯＷＮ）をコントローラ２へ送信する変更指示信号送信部を構成する。
【００６１】
コントローラ２は、アップ指示信号を受信すると、調光レベル値の現在値にステップ値ｄを加算した調光レベルの調光制御信号（ＣＳ）を、スライダ３６が操作された照明装置９へ送信する。図５において説明したように、コントローラ２は、所定の制御間隔ＣＴで、ステップ値ｄを加算した調光レベルの調光制御信号（ＣＳ）を照明装置９へ送信する。
【００６２】
その後、ＣＰＵ２４は、操作されたスライダ３６に係わる照明装置９への調光制御信号（ＣＳ）を受信したか否かを判定する（Ｓ１６）。  
調光制御信号が受信されなければ（Ｓ１６：ＮＯ）、処理は何もしない。
【００６３】
操作されたスライダ３６に係わる照明装置９への調光制御信号（ＣＳ）を受信すると（Ｓ１６：ＹＥＳ）、ＣＰＵ２４は、受信した調光制御信号に基づいて、その照明装置９の調光レベル値（現在値）を更新する（Ｓ１７）。
【００６４】
ＣＰＵ２４は、現在値の更新後、スライダ３６の調光レベルの指示値と調光レベル値（現在値）と比較して、一致したか否かを判定する（Ｓ１８）。  
一致したとき（Ｓ１８：ＹＥＳ）、ＣＰＵ２４は、ストップ指示信号（ＳＴＯＰ）を、伝送部２２を介してコントローラ２へ送信する（Ｓ１９）。
【００６５】
Ｓ１９の処理が、調光制御信号の調光レベル値がスライダ３６における指示値と一致したときに、照明装置９の調光レベルの変更を停止する停止指示信号（ストップ指示信号）をコントローラ２へ送信する停止指示信号送信部を構成する。
【００６６】
コントローラ２は、ストップ指示信号（ＳＴＯＰ）を受信すると、調光制御信号の送信を停止する。その結果、照明装置９の照明光量は、ユーザが操作したスライダ３６の指示する調光レベルに一致する。
【００６７】
一致したか否かは、受信した調光制御信号の示す調光レベル値と、スライダ３６の示す指示値とが完全に一致した場合だけでなく、受信した調光制御信号の示す調光レベル値が、スライダ３６の示す指示値との差が、所定の誤差範囲内にあるか否かに基づいて判定するようにしてもよい。
【００６８】
一致しないとき（Ｓ１８：ＮＯ）、受信した調光制御信号の示す調光レベル値が、スライダ３６の指示値よりも行き過ぎたか否かを判定する（Ｓ２０）。  
アップ指示信号（ＵＰ）の場合、コントローラ２は、調光レベル値を所定のステップ値ｄずつ増加させた調光制御信号を制御間隔ＣＴで送信するが、受信した調光制御信号の示す調光レベル値が、スライダ３６の示す指示値に達していないとき（Ｓ２０：ＮＯ）、処理は、Ｓ１６に戻る。
【００６９】
また、ユーザが操作してスライダ３６の位置が一度指示された後に変更される場合がある。例えば、図４の場合、ユーザが、照明装置Ｌ１のスライダ３６を１０％の現在値から５０％の位置に移動した後に、４０％に下げるようにスライダ３６を操作される場合がある。
【００７０】
このような場合を考慮して、受信した調光制御信号の示す調光レベル値が、スライダ３６の指示値よりも行き過ぎたときは（Ｓ２０：ＹＥＳ）、処理は、Ｓ１３に戻る。  
その結果、ＣＰＵ２４は、その差を判定し、その差異に基づきアップ指示信号（ＵＰ）又はダウン指示信号（ＤＯＷＮ）を送信し（Ｓ１４、Ｓ１５）、照明装置９の調光レベルを、スライダ３６の指示値に一致させるようにする調光制御信号が、コントローラ２から送信される。
【００７１】
よって、Ｓ１８とＳ２０の処理が、アップ指示信号（ＵＰ）あるいはダウン指示信号（ＤＯＷＮ）が送信された後に、調光制御信号の調光レベル値が指示値を超えたかを判定する判定部を構成する。そして、その判定部が調光制御信号の調光レベル値が指示値を超えたと判定したとき、調光レベル値を指示値に一致させるために、照明装置９の調光レベルを変更するアップ指示信号（ＵＰ）あるいはダウン指示信号（ＤＯＷＮ）が、コントローラ２装置へ送信される。
【００７２】
以上のように、上述した実施形態によれば、ストップ指示信号を受信するまで調光コマンド信号の送信するような制御装置を有するシステムに適用可能であって、照明装置の調光レベルの指示値を連続的に変更可能な調光操作器、及びその調光操作器を有する照明制御システムを提供することができる。
【００７３】
特に、上述した実施形態によれば、調光操作器である壁スイッチ３は、スライダ３６の指示値と、ＲＡＭ２６に記憶された照明装置９の調光レベル値とを比較する比較部を有するので、照明装置９の調光レベルが指示値と一致したか否かを判定でき、その結果、コントローラ２へ、アップ指示信号（ＵＰ）、ダウン指示信号（ＤＯＷＮ）及びストップ指示信号（ＳＴＯＰ）を送信することができる。
【００７４】
さらに、コントローラ２が他の壁スイッチ３Ａ等からの指示により、照明装置９の調光レベルを変更したときであっても、伝送線上の調光制御信号を監視することによって、壁スイッチ３のスライダ３６の表示位置を、その変更された調光レベルの位置に一致させることができる。
【００７５】
なお、以上の実施の形態では、壁スイッチ３は、スライダ画像を表示するタッチパネル型の操作器であるが、ユーザがスライダを指で摘まんで上下させるようなメカニカル式のスライダを有していてもよい。その場合、上述したＳ１の監視結果に基づいて、ＲＡＭ２６に記憶される調光レベル値を更新すると共に、スライダの位置を変更するためのスライダを動かすためのモータ駆動機構が設けられる。
さらに、操作器は、スライダに代えて、ボリューム摘みでもよい。
【００７６】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００７７】
１  照明制御システム、２  コントローラ、３、３Ａ  壁スイッチ、４  調光装置、５  オン・オフスイッチ、６  照度センサ、７  人感センサ、８  伝送線、９  照明装置、９ａ  調光線、１１  制御部、１２  伝送部、１３  操作部、２１  制御部、２２  伝送部、２３  操作部、２３Ａ  表示器、２３Ｂ  タッチパネル、３１〜３４  調光操作部、３５  表示部、３６  スライダ。
【図１】
2018120717.tif 000003
【図２】
2018120717.tif 000004
【図３】
2018120717.tif 000005
【図４】
2018120717.tif 000006
【図５】
2018120717.tif 000007
【図６】
2018120717.tif 000008
【図７】
2018120717.tif 000009